(57)【要約】【課題】  シート同士が擦れることによるシート破損のないシート集積装置およびシート集積方法の提供。【解決手段】  投入手段で投入されたシートを集積する集積台と、投入されたシートを投入方向に沿って前方において受け止めるバックストッパと、前記投入手段で投入されたシートを前記集積台の上方において保持するシート保持手段とを備え、前記シート保持手段は、前記シートが停止または減速したら、前記シートの保持を解除して前記シートを前記集積台上に落下させることを特徴とするシート集積装置、シート集積方法。【選択図】        図１
2006327713.tif 000002
【特許請求の範囲】
【請求項１】
投入手段によって順次投入されるシートを、所定の集積位置に位置決めし、層状に積層するシート集積装置であって、
前記投入手段で投入されたシートが集積される集積台と、
前記投入手段で投入されたシートを前記集積台の上方で受け止めるシート保持手段と
を備え、
前記シート保持手段は、前記シートを受け止めた後に前記シートの保持を解除して前記シートを前記集積台上に落下させることを特徴とするシート集積装置。
【請求項２】
前記シート保持手段は、受け止めたシートが静止し、または所定の速度以下に減速したら、前記シートの保持を解除して前記シートを前記集積台上に落下させる請求項１に記載のシート集積装置。
【請求項３】
前記シート保持手段は、前記集積台の上方に位置して前記投入手段で投入されたシートを下方から受け止める保持位置と、前記集積台から退避した退避位置との何れかをとるシート保持部材を備えてなる請求項１または２に記載のシート集積装置。
【請求項４】
前記シート保持部材はシート受け板であって、前記シート受け板は、保持位置にあっては集積台上に水平に保持される請求項３に記載のシート集積装置。
【請求項５】
前記シート受け板は、保持位置から水平方向に移動して退避位置をとる請求項４に記載のシート集積装置。
【請求項６】
前記シート受け板は、保持位置から水平方向または下方に回動して退避位置をとる請求項４に記載のシート集積装置。
【請求項７】
前記シート保持部材は、前記シートの投入経路を挟むように設けられ、投入方向に沿った回転軸の回りに回転または回動する１対のシート受け回転体であり、
前記シート受け回転体は、前記回転軸に沿って延在する１または２以上のシート受け面を有し、投入されたシートを前記シート受け面で下方から受けるとともに、前記回転軸の回りに回転または回動することにより、前記シート受け面で受けたシートを前記集積台上に落下させる請求項１に記載のシート集積装置。
【請求項８】
前記シート保持手段は、上向きに空気流を噴出して、前記投入手段によって投入されたシートを浮上させた状態で受け止める請求項１〜７の何れか１項に記載のシート集積装置。
【請求項９】
前記シート保持手段は、前記投入手段によって投入されたシートに対し、前記シートの投入方向と略同一の方向から前記シートに対して略並行に空気流を噴出し、前記シートを浮上させた状態で受け止める請求項１〜８の何れか１項に記載のシート集積装置。
【請求項１０】
前記シート保持手段によって前記集積台上に落下したシートを揃えるシート揃え手段を備えてなる請求項１〜９の何れか１項に記載のシート集積装置。
【請求項１１】
前記シート揃え手段は、前記シート集積台に集積されたシートを両側から挟む位置に設けられた１対のシート揃えガイド部材である請求項１０に記載のシート集積装置。
【請求項１２】
前記シート揃えガイド部材のうちの少なくとも一方は、前記集積台に集積されたシートに対して近接、離間するように駆動される請求項１１に記載のシート集積装置。
【請求項１３】
前記シートは平版印刷版である請求項１〜１２の何れか１項に記載のシート集積装置。
【請求項１４】
投入手段によって順次投入されるシートを、所定の集積位置に位置決めし、層状に積層するシート集積方法であって、
前記投入手段で投入されたシートを前記集積台の上方においてシート保持手段によって保持し、
前記シートが停止し、または所定の速度まで減速したら、前記シート保持手段におけるシートの保持を解除して前記シートを前記集積台上に落下させることを特徴とするシート集積方法。
【請求項１５】
前記シートは平版印刷版である請求項１４に記載のシート集積方法。
【発明の詳細な説明】
【技術分野】
【０００１】
本発明は、シート集積装置およびシート集積方法に関し、特に、投入したシートが集積済みシートと擦れることが効果的に防止できるシート集積装置およびシート集積方法に関する。
【背景技術】
【０００２】
搬送手段から順次投入される平版印刷版を所定の集積位置に位置決めし、層状に集積する集積装置として、前記平版印刷版が集積される集積面と、前記集積面上における平版印刷版の外周側に設けられ、該平版印刷版の面方向に沿った移動を制限して前記集積位置に位置決めする枠部材と、前記枠部材と前記集積面における平版印刷版との間に介在し、該平版印刷版からの荷重により弾性変形するクッション材と、前記クッション材と前記集積面上における平版印刷版との間に介在し、該平版印刷版の当接時に前記クッション材とともに変形する金属製保護シートとを有するものが提案された（特許文献１）。
【０００３】
前記集積装置は、前記枠部材として、ベルトコンベアなどの搬送手段から投入された平版印刷版を受け止めるバックストッパと、前記集積面を挟んで前記バックストッパに相対するように設けられたフロントストッパと、集積面の両側縁に沿って設けられた１対のサイドストッパとを備えている。
【０００４】
前記フロントストッパには、ベルトコンベアから投入される平版印刷版に向って空気流を吹きつける水平なスリット状のノズル孔が設けられている。
【０００５】
したがって、前記ノズル孔から吹き出す空気流の強さおよび方向を制御することにより、投入された平版印刷版の浮上量を制御し、集積面に集積された平版印刷版と、前記投入された平版印刷版との接触を軽減することは可能であると考えられる。
【特許文献１】特開２００２−０４６９２４号公報
【発明の開示】
【発明が解決しようとする課題】
【０００６】
しかしながら、前記集積装置においては、投入される平版印刷版のサイズや品種、カールの大きさなどに応じてノズル孔から吹き出す空気流の強さおよび方向を変える必要があった。
【０００７】
特に、レーザ露光型平版印刷版のように表面に合紙のない平版印刷版においては、カールの大きさが変化すると、投入した平版印刷版の裏面が、集積面に集積された平版印刷版の製版面に当接して前記製版面に傷をつける可能性がある。
【０００８】
本発明は、上記問題を解決すべく成されたものであり、投入される平版印刷版のサイズや品種、カールの大きさなどが変化する毎に、投入条件や集積条件を変更しなくても、投入した平版印刷版などのシートが、集積されたシートと擦れて品質劣化が生じることが効果的に防止できるシート集積装置およびシート集積方法の提供を目的とする。
【課題を解決するための手段】
【０００９】
請求項１に記載の発明は、投入手段によって順次投入されるシートを、所定の集積位置に位置決めし、層状に積層するシート集積装置であって、前記投入手段で投入されたシートが集積される集積台と、前記投入手段で投入されたシートを前記集積台の上方で受け止めるシート保持手段とを備え、前記シート保持手段は、前記シートを受け止めた後に前記シートの保持を解除して前記シートを前記集積台上に落下させることを特徴とするシート集積装置に関する。
【００１０】
前記シート集積装置においては、投入手段で投入されたシートを、前記シート保持手段で受け止めた後に集積台上に落下させているから、サイズや品種、カールの大きさなどによらず、シートは、投入時の勢いが減殺された状態で集積台に載置される。
【００１１】
したがって、シートの表面を傷付けたり破損させたりすること無く集積することができるうえ、投入されるシートのサイズや品種、カールの大きさなどが変化する度毎に、投入条件や集積条件を変更する必要がない。
【００１２】
請求項２に記載の発明は、請求項１に記載のシート集積装置において、前記シート保持手段が、受け止めたシートが静止し、または所定の速度以下に減速したら、前記シートの保持を解除して前記シートを前記集積台上に落下させるものに関する。
【００１３】
前記シート集積装置においては、前記シート保持手段でシートを受け止め、受け止めたシートが静止し、または所定の速度以下に減速した時点で集積台に落下させているから、前記シートは、投入方向の速度成分が殆どゼロになった状態で集積台に落下する。
【００１４】
したがって、集積台に新たに投入されるシートと、集積台に集積されたシートとの面が擦れて損傷するのが効果的に防止される。
【００１５】
請求項３に記載の発明は、請求項１または２に記載のシート集積装置において、前記シート保持手段が、前記集積台の上方に位置して前記投入手段で投入されたシートを下方から受け止める保持位置と、前記集積台から退避した退避位置との何れかをとるシート保持部材を備えてなるものに関する。
【００１６】
前記シート集積装置においては、投入手段で投入されたシートを、保持位置に有るシート保持部材で受け止める。シート保持部材は、シートを受け止めたら退避位置まで退避する。これにより、前記シートは、集積台上に落下する。
【００１７】
請求項４に記載の発明は、請求項３に記載のシート集積装置であって、前記シート保持部材はシート受け板であって、前記シート受け板は、保持位置にあっては集積台上に水平に保持されるものに関する。
【００１８】
前記シート集積装置は、シート保持部材としてシート受け板を備え、前記シート受け板は、保持位置においては水平に保持される。したがって、投入手段で投入されたシートは、水平に保持されたシート受け板で下方から受け止められるから、集積台の上方において安定に保持される。
【００１９】
したがって、投入されたシートを停止、または減速させて集積台に落下させる工程がより確実に行なわれる。
【００２０】
請求項５に記載の発明は、請求項４に記載のシート集積装置において、前記シート受け板が保持位置から水平方向に移動して退避位置をとるものに関する。
【００２１】
前記シート集積装置においては、集積台上を水平に移動させてシート受け板を保持位置から退避位置に移行させているから、シート受け板を保持位置から退避位置に移行させるときに後述するシート揃えガイド部材に干渉しない。
【００２２】
請求項６に記載の発明は、請求項４に記載のシート集積装置において、前記シート受け板が保持位置から水平方向または下方に回動して退避位置をとるものに関する。
【００２３】
前記シート集積装置においては、シート受け板を回動させて保持位置から退避位置に移行させているから、シート受け板を保持位置から退避位置に移行させるメカニズムを簡略化できる。
【００２４】
請求項７に記載の発明は、請求項１に記載のシート集積装置において、前記シート保持部材が、前記シートの投入経路を挟むように設けられ、投入方向に沿った回転軸の回りに回転または回動する１対のシート受け回転体であり、前記シート受け回転体は、前記回転軸に沿って延在する１または２以上のシート受け面を有し、投入されたシートを前記シート受け面で下方から受けるとともに、前記回転軸の回りに回転または回動することにより、前記シート受け面で受けたシートを前記集積台上に落下させるものに関する。
【００２５】
前記シート集積装置においては、投入されたシートをシート受け回転体で受けた後、前記シート受け回転体を回転または回動させて集積台上に落下させているから、シート保持部材を保持位置から退避位置に移行させるためのメカニズムが不要である。したがって、シート集積装置全体の構成がより簡略化される。
【００２６】
請求項８に記載の発明は、請求項１〜７の何れか１項に記載のシート集積装置において、前記シート保持手段が、上向きに空気流を噴出して、前記投入手段によって投入されたシートを浮上させた状態で受け止めるものに関する。
【００２７】
前記シート集積装置においては、投入されたシートは、前記シート保持手段において非接触で受け止められるから、レーザ露光型平版印刷版のように表面が傷付きやすいシートの集積に好適に使用できる。
【００２８】
請求項９に記載の発明は、請求項１〜８の何れか１項に記載のシート集積装置において、前記シート保持手段が、前記投入手段によって投入されたシートに対し、前記シートの投入方向と略同一の方向から前記シートに対して略並行に空気流を噴出し、前記シートを浮上させた状態で受け止めるものに関する。
【００２９】
前記シート集積装置においても、投入されたシートは、前記シート保持手段において非接触で受け止められる。また、前記シート保持手段は、前記シートの投入方向と略同一方向から前記シートに対して略並行に空気流を噴出しているから、前記シートは請求項８に記載のシート集積装置に比較してさらに少ない衝撃で受け止められる。
【００３０】
請求項１０に記載の発明は、請求項１〜９の何れか１項に記載のシート集積装置であって、前記シート保持手段によって前記集積台上に落下したシートを揃えるシート揃え手段を備えてなるものに関する。
【００３１】
前記シート保持手段における保持が解除されて集積台に落下した状態においては、シートの縁が、集積台上に集積されたシートの縁と揃っていないことがある。
【００３２】
しかし、前記シート集積装置においては、集積台に落下したシートをシート揃え手段によって揃えているから、シートは、縁が揃った状態で集積台上に集積される。
【００３３】
請求項１１に記載の発明は、請求項１０に記載のシート集積装置において、前記シート揃え手段が、前記シート集積台に集積されたシートを両側から挟む位置に設けられた１対のシート揃えガイド部材であるものに関する。
【００３４】
前記シート集積装置においては、投入手段によって投入されたシートは、シート保持手段における保持が解除された後、前記シート揃えガイドによって案内されつつ、集積台に向かって落下していく。これにより、シートは、縁が揃った状態で集積台に集積される。
【００３５】
請求項１２に記載の発明は、請求項１１に記載のシート集積装置において、前記シート揃えガイド部材のうちの少なくとも一方が、前記集積台に集積されたシートに対して近接、離間するように駆動されるものに関する。
【００３６】
前記シート集積装置においては、縁が完全に揃わない状態でシートが集積台に集積された場合においても、前記シート揃えガイド部材が、前記集積台に集積されたシートに近接、離間することにより、前記集積台に集積されたシートの縁が完全に揃う。
【００３７】
請求項１３に記載の発明は、請求項１〜１２の何れか１項に記載のシート集積装置において、前記シートが平版印刷版であるものに関する。
【００３８】
前記シート集積装置は、本発明のシート集積装置を平版印刷版の集積に適用した例である。
【００３９】
前述のように、本発明のシート集積装置においては、平版印刷版は、投入方向に沿った速度が殆どゼロの状態で集積台に集積されるから、平版印刷版を合紙無しで集積しても、製版面が傷付くことがない。
【００４０】
請求項１４に記載の発明は、投入手段によって順次投入されるシートを、所定の集積位置に位置決めし、層状に積層するシート集積方法であって、前記投入手段で投入されたシートを前記集積台の上方においてシート保持手段によって保持し、前記シートが停止し、または所定の速度まで減速したら、前記シート保持手段におけるシートの保持を解除して前記シートを前記集積台上に落下させることを特徴とするシート集積方法に関する。
【００４１】
請求項１に係るシート集積装置と同様、前記シート集積方法においても、投入手段で投入されたシートを、前記シート保持手段で受け止めた後に集積台上に落下させているから、シートは、投入時の勢いが減殺された状態で集積台に載置される。
【００４２】
したがって、シートの表面を傷付けたり破損させたりすること無く集積することができるうえ、投入されるシートのサイズや品種、カールの大きさなどが変化する度毎に、投入条件や集積条件を変更する必要がない。
【００４３】
請求項１５に記載の発明は、請求項１４に記載のシート集積方法において、前記シートが平版印刷版であるものに関する。
【００４４】
前述のように、本発明のシート集積方法によれば、平版印刷版は、投入方向に沿った速度が殆どゼロの状態で集積台に集積されるから、平版印刷版を合紙無しで集積しても、製版面が傷付くことがない。
【発明の効果】
【００４５】
以上説明したように本発明によれば、シートを傷付けずに集積でき、しかも、投入されるシートのサイズや品種、カールの大きさなどが変化する毎に、投入条件や集積条件を変更する必要のないシート集積装置およびシート集積方法が提供される。
【発明を実施するための最良の形態】
【００４６】
１．実施形態１
本発明に係るシート集積装置の一例である平版印刷版の集積装置について以下に説明する。
【００４７】
実施形態１に係る集積装置１００は、図１に示すように、ベルトコンベア２００で投入された平版印刷版Ｐを前端部で受け止めるバックストッパ４と、矢印ａで示す平版印刷版Ｐの投入方向に対してバックストッパ４の後方に設けられ、バックストッパ４で受け止められた平版印刷版Ｐが集積される昇降可能な集積台２と、集積台２を挟んでバックストッパ４の反対側に位置するフロントストッパ６と、集積台２の両側縁に沿って設けられ、集積台２に集積された平版印刷版Ｐを両側から保持する１対のサイドストッパ８と、サイドストッパ８の上方に１対づつ設けられ、実線で示す保持位置と二点鎖線で示す退避位置との何れかをとる平版印刷版保持板１０と、ベルトコンベア２００の末端近傍に設けられ、平版印刷版Ｐを光学的に検知するセンサ１２とを備える。平版印刷版Ｐは、本発明のシート集積装置で集積されるシートの一例であり、平版印刷版保持板１０およびサイドストッパ８は、夫々前記シート集積装置におけるシート保持板およびシート揃えガイド部材の一例である。
【００４８】
平版印刷版保持板１０は、何れも回転軸１１によって軸支され、水平面内において回転軸１１を中心に回動することにより、保持位置から退避位置、および退避位置から保持位置への移行が行われる。
【００４９】
フロントストッパ６には、水平方向に開口する複数のスリット状のノズル孔７が全幅に亘って設けられている。ノズル孔７からは、図２に示すように、ベルトコンベア２００によって投入される平版印刷版Ｐに向って斜め上方に空気流が吹きつけられる。
【００５０】
サイドストッパ８は、図１に示すように集積台２に対して固定されていてもよいが、集積台２に近接、離間することにより、集積台２に集積された平版印刷版Ｐの縁をそろえるようにしてもよい。
【００５１】
集積装置１００の作用について以下に説明する。
【００５２】
センサ１２が平版印刷版Ｐを検知すると、平版印刷版保持板１０は、図３において（Ａ）に示すように、回転軸１１を中心に回動して退避位置から保持位置に移行する。
【００５３】
ベルトコンベア２００によって投入された平版印刷版Ｐは、フロントストッパ６のノズル孔７から噴出される空気流で末端部および中央部が持ち上げられると同時に、保持位置に有る平版印刷版保持板１０によって下方から受け止められるとともに、バックストッパ４で受け止められる。
【００５４】
平版印刷版Ｐが平版印刷版保持板１０およびバックストッパ４によって受け止められたら、図３において（Ａ）に示すように、平版印刷版保持板１０が回転軸１１を中心にして矢印ｂの方向にほぼ同時に回動し、図３において（Ｂ）に示すように、集積台２上から退避して退避位置に移行する。これにより、平版印刷版保持板１０によって受け止められていた平版印刷版Ｐは、集積台２上に集積された平版印刷版Ｐ上に落下して集積される。このとき、ノズル孔７から空気を噴出させて平版印刷版Ｐを浮上させるとよい。
【００５５】
実施形態１の集積装置１００においては、ベルトコンベア２００で投入された平版印刷版Ｐと、集積台２に集積済みの平版印刷版Ｐとの間には相対速度が生じている。
【００５６】
しかし、投入された平版印刷版Ｐをセンサ１２で検知して平版印刷版保持板１０を保持位置に移行させ、前記平版印刷版Ｐを下方から受け止め、前記集積済みの平版印刷版Ｐとの相対速度がほぼゼロになったところで、平版印刷版保持板１０を退避位置に移行させ、受け止めた平版印刷版Ｐを集積台２に集積された平版印刷版Ｐ上に落下させている。
【００５７】
したがって、投入された平版印刷版Ｐが集積済みの平版印刷版Ｐと擦れることによる製版層の損傷を効果的に防止できるから、レーザ露光型平版印刷版のように、製版層が特に摩擦に弱い平版印刷版を合紙無しで集積するのに好適に使用される。
【００５８】
２．実施形態２
図４〜図６に示すように、実施形態２に係る集積装置１０２には、サイドストッパ８の上方に２枚づつ、合計４枚の平版印刷版保持板２０が設けられている。
【００５９】
平版印刷版保持板２０には、何れも外側の長辺に沿って設けられた回転軸２１によって、サイドストッパ８よりも外側において、サイドストッパ８に対して平行に軸支されている。平版印刷版保持板２０は、回転軸２１の回りに上下に回動して図４において実線で示す保持位置、および二点鎖線で示す退避位置の何れかをとる。平版印刷版保持板２０は、保持位置においては水平に保持され、退避位置においては垂直になる。なお、サイドストッパ８は、平版印刷版保持板２０が回動するときに干渉しないような位置に設けられているか、または切り欠きが設けられ、平版印刷版保持板２０が回動するときに干渉しないように形成されている。
【００６０】
集積装置１０２は、上記の点を除いては実施形態１に係る集積装置１００と同様の構成を有している。
【００６１】
集積装置１０２の作用について、以下に説明する。
【００６２】
センサ１２が平版印刷版Ｐを検知すると、平版印刷版保持板２０は、図５および図６において（Ａ）に示すように、回転軸２１の回りに回動して退避位置から保持位置に移行する。
【００６３】
ベルトコンベア２００によって投入された平版印刷版Ｐは、フロントストッパ６のノズル孔７から噴出される空気流で末端部が持ち上げられると同時に、保持位置に有る平版印刷版保持板２０によって下方から受け止められる。
【００６４】
平版印刷版Ｐが平版印刷版保持板２０によって受け止められたら、図５および図６において（Ａ）に示すように、平版印刷版保持板２０は、回転軸２１を中心にして矢印ｃの方向に回動し、図５および図６において（Ｂ）に示すように、集積台２上から退避して退避位置に移行する。これにより、平版印刷版保持板２０によって受け止められていた平版印刷版Ｐは、集積台２に集積された平版印刷版Ｐ上に落下して集積される。
【００６５】
集積装置１０２は、実施形態１に係る集積装置１００と同様の特長に加え、平版印刷版保持板２０が上下に回動することによって保持位置から退避位置、および退避位置から保持位置への移行が行なわれるから、平版印刷版保持板２０のスペースを節約できるという特長を有する。
【００６６】
３．実施形態３
図７〜図９に示すように、実施形態３に係る集積装置１０４には、各サイドストッパ８の上方に２枚づつ、合計４枚の平版印刷版保持板３０が設けられている。
【００６７】
平版印刷版保持板３０は、集積台２の上方に位置する保持位置と、集積台２の外側に退避した退避位置との何れかをとる。図７において、保持位置にある平版印刷版保持板３０を実線で、退避位置にある平版印刷版保持板３０を二点鎖線で示す。平版印刷版保持板３０は、平版印刷版Ｐの投入方向ａに対して直角な方向に移動して保持位置から退避位置に移行し、また退避位置から保持位置に移行する。
【００６８】
集積装置１０４は、上記の点を除いては実施形態１に係る集積装置１００と同様の構成を有している。
【００６９】
集積装置１０４の作用について、以下に説明する。
【００７０】
センサ１２が平版印刷版Ｐを検知すると、平版印刷版保持板３０は、図８および図９において（Ａ）に示すように、集積台２上に移動して退避位置から保持位置に移行する。
【００７１】
ベルトコンベア２００によって投入された平版印刷版Ｐは、フロントストッパ６のノズル孔７から噴出される空気流で末端部が持ち上げられると同時に、保持位置に有る平版印刷版保持板３０によって下方から受け止められる。
【００７２】
平版印刷版Ｐが平版印刷版保持板３０によって受け止められたら、図８および図９において（Ａ）に示すように、平版印刷版保持板３０は、外側に向かって移動して図８および図９において（Ｂ）に示すように退避位置に移行する。これにより、平版印刷版保持板３０によって受け止められていた平版印刷版Ｐは、集積台２に集積された平版印刷版Ｐ上に落下して集積される。
【００７３】
集積装置１０２は、実施形態１に係る集積装置１００と同様の特長を有する。
【００７４】
４．実施形態４
図１０および図１１に示すように、実施形態４に係る集積装置１０６には、各サイドストッパ８の上方に、１本づつ、合計２本の平版印刷版受け回転体４０がサイドストッパ８の全長に亘って設けられている。平版印刷版受け回転体４０は、本発明のシート集積装置におけるシート受け回転体に相当する。
【００７５】
平版印刷版受け回転体４０は、長手方向に沿って設けられた回転軸４４の回りに回転する棒状回転体であって、長手方向に沿って連続する楔状の平版印刷版受けフランジ４２が等間隔に４個突出している。平版印刷版受けフランジ４２は、本発明におけるシート受け面に相当する。平版印刷版受け回転体４０は、回転中心間の距離が平版印刷版Ｐの幅よりも大きく、内側の平版印刷版受けフランジ４２の先端間の距離が平版印刷版Ｐの幅よりも小さくなるように配設されている。
【００７６】
平版印刷版受け回転体４０においては、図１４に示すように、軸４４を中空にして配管４５によってブロワ４６に接続し、ブロワ４６から供給された空気流を平版印刷版受けフランジ４２の表面から噴出させるようにすれば、非接触で平版印刷版Ｐを受けることができる。
【００７７】
集積装置１０６は、上記の点を除いては実施形態１に係る集積装置１００と同様の構成を有している。
【００７８】
集積装置１０６の作用について、以下に説明する。
【００７９】
ベルトコンベア２００によって搬送されてきた平版印刷版Ｐをセンサ１２が検出すると、平版印刷版受け回転体４０は回転軸の回りに回転し、図１０および図１１に示すように、４つの平版印刷版受けフランジ４２のうち内側に位置するものが水平になるように保持される。以下、平版印刷版受けフランジ４２のうち内側に位置するものを平版印刷版受けフランジ４２Ａと称する。
【００８０】
したがって、ベルトコンベア２００によって投入された平版印刷版Ｐは、図１１において二点鎖線で示すように、平版印刷版受けフランジ４２Ａによって下方から受け止められる。
【００８１】
平版印刷版Ｐが平版印刷版受けフランジ４２Ａによって受け止められたら、平版印刷版受け回転体４０は、図１２において矢印ｄで示すように内回り方向に９０度回転し、平版印刷版受けフランジ４２Ａは下方を向く。したがって、平版印刷版受けフランジ４２Ａによって下方から受け止められていた平版印刷版Ｐは図１３に示すように集積台２上に落下する。
【００８２】
集積装置１０６は、集積装置１００と同様の特長を有する。更に、平版印刷版Ｐを受ける平版印刷版受け回転体４０は、サイドストッパ８に沿って設けることができるから、集積装置１０６は、平版印刷版受け板を有する集積装置に比較して上下にも左右にもコンパクトに構成できる。
【産業上の利用可能性】
【００８３】
本発明は、感光型、感熱型、およびレーザ露光型の平版印刷版の集積のほか、アルミニウムシートやステンレス鋼シート、普通鋼シート、高張力鋼板シートなどの金属シート、塗装鉄板、各種プラスチックシート、および紙類の集積に使用できる。
【図面の簡単な説明】
【００８４】
【図１】図１は、実施形態１に係る集積装置の構成を示す斜視図である。
【図２】図２は、実施形態１に係る集積装置に平版印刷版を投入したところを示す側面図である。
【図３】図３は、実施形態１に係る集積装置における平版印刷版保持板の動きを示す平面図である。
【図４】図４は、実施形態２に係る集積装置の構成を示す斜視図である。
【図５】図５は、実施形態２に係る集積装置における平版印刷版保持板の動きを示す平面図である。
【図６】図６は、実施形態２に係る集積装置における平版印刷版保持板の動きを示す正面図である。
【図７】図７は、実施形態３に係る集積装置の構成を示す斜視図である。
【図８】図８は、実施形態３に係る集積装置における平版印刷版保持板の動きを示す平面図である。
【図９】図９は、実施形態３に係る集積装置における平版印刷版保持板の動きを示す正面図である。
【図１０】図１０は、実施形態３に係る集積装置の構成を示す斜視図である。
【図１１】図１１は、実施形態３に係る集積装置の構成を示す正面図である。
【図１２】図１２は、実施形態２に係る集積装置おける平版印刷版と平版印刷版受け回転体４０との関係を示す説明図である。
【図１３】図１３は、実施形態２に係る集積装置おける平版印刷版と平版印刷版受け回転体４０との関係を示す説明図である。
【図１４】図１４は、実施形態３に係る集積装置の第１の変形例を示す正面図である。
【符号の説明】
【００８５】
２    集積台
４    バックストッパ
６    フロントストッパ
７    ノズル孔
８    サイドストッパ
１０  平版印刷版保持板
１１  ピボット
１２  センサ
２０  平版印刷版保持板
２１  回転軸
３０  平版印刷版保持板
４０  回転体
４２  平版印刷版受けフランジ
４２Ａ      平版印刷版受けフランジ
４４  回転軸
４４  軸
４５  配管
４６  ブロワ
１００      集積装置
１０２      集積装置
１０４      集積装置
１０６      集積装置
２００      ベルトコンベア
【図１】
2006327713.tif 000003
【図２】
2006327713.tif 000004
【図３】
2006327713.tif 000005
【図４】
2006327713.tif 000006
【図５】
2006327713.tif 000007
【図６】
2006327713.tif 000008
【図７】
2006327713.tif 000009
【図８】
2006327713.tif 000010
【図９】
2006327713.tif 000011
【図１０】
2006327713.tif 000012
【図１１】
2006327713.tif 000013
【図１２】
2006327713.tif 000014
【図１３】
2006327713.tif 000015
【図１４】
2006327713.tif 000016